(57)【要約】【課題】  全体の高さを小さくできる動吸振器およびそれを用いた光ディスク装置を提供する。【解決手段】  光ディスクを駆動するモータを支持するメインシャシに保持される動吸振器は、メインシャシ１３に支持されたサブダンパ１６と、一方面および他方面を有する平板形状を有し、メインシャシ１３に対面する一方面のみがサブダンパ１６に当接するサブシャシ１４と、サブダンパ１６をサブシャシ１４の一方面に固定する凸部１５とを備える。【選択図】      図２
2006172631.tif 000002
【特許請求の範囲】
【請求項１】
光ディスクを駆動するモータを支持するメインシャシに保持される動吸振器であって、
前記メインシャシに支持された弾性体と、
一方面および他方面を有する平板形状を有し、メインシャシに対面する一方面のみが前記弾性体に当接する動吸振子と、
前記動吸振子を前記弾性体の一方面に固定する固定部材とを備える、動吸振器。
【請求項２】
前記弾性体は、前記光ディスク装置の筐体を保持する、請求項１に記載の動吸振器。
【請求項３】
前記固定部材は、前記動吸振子の一方面に固定された軸である、請求項１または２に記載の動吸振器。
【請求項４】
前記固定部材は前記動吸振子の一方向に一体形成された軸である、請求項１または２に記載の動吸振器。
【請求項５】
前記軸は軸本体と、前記軸本体よりも径方向に広がった頭部を有し、
前記頭部と、前記動吸振子の一方面とで前記弾性体を挟持する、請求項３または４に記載の動吸振器。
【請求項６】
前記軸は、途中位置に径方向に広がった突起部を有する、請求項３から５のいずれかに記載の動吸振器。
【請求項７】
請求項１から６のいずれかに記載の動吸振器を搭載した光ディスク装置。
【発明の詳細な説明】
【技術分野】
【０００１】
この発明は動吸振器およびそれを用いた光ディスク装置に関し、特に、全体の高さを小さくできる動吸振器およびそれを用いた光ディスク装置に関する。
【背景技術】
【０００２】
ＣＤ、ＣＤ−ＲＯＭ、ＤＶＤ、ＤＶＤ−ＲＯＭ等の光ディスク、光磁気ディスク、大容量ＦＤ等の光メディアを駆動する光ディスク装置が、たとえば特開２００１−２５６７６２号公報（特許文献１）や特開２００１−３５５６７０号公報（特許文献２）に開示されている。図６は特許文献１および２に開示された光ディスク装置の要部を示す斜視図であり、図７は図６において、ＶＩＩ−ＶＩＩで示す部分の断面図である。
【０００３】
図６および図７を参照して、光ディスク装置５０は、筐体５１と、筐体５１の周囲４箇所に設けられたメインダンパ５２と、メインダンパ５２に保持されたメインシャシ５３とを含む。メインシャシ５３上には、光ディスク５９を回転するためのスピンドルモータ５４と、光ディスク５９を読取るヘッド６０と、サブダンパ５６とが設けられ、サブダンパ５６には、サブシャシ５７が保持されている。
【０００４】
サブシャシ５７は動吸振子として作動し、サブダンパ５６とサブシャシ５７とで動吸振器を構成している。
【０００５】
図８は、動吸振器がメインシャシ５３の下部に取付けられた場合の、図７に対応する図である。図８においては、図７と対応する部分には、同じ参照符号を付して、その説明は省略する。
【０００６】
図９は図７と同様の光ディスク装置において、メインダンパとサブダンパとを一体化した場合に考えられる構成の側面図である。図９においても、基本的に光ディスク装置の構成は同じであるが、メインダンパ６１が、筐体５１、メインシャシ５３およびサブシャシ５７を保持している点が図７と異なっている。
【特許文献１】特開２００１−２５６７６２号公報（図１およびそれに関連する記載）
【特許文献２】特開２００１−３５５６７０号公報（図３およびそれに関連する記載）
【発明の開示】
【発明が解決しようとする課題】
【０００７】
従来の動吸振器およびそれを用いた光ディスク装置は上記のように構成されていた。図７および図８に示すように、サブダンパ５６は、メインシャシ５３の上部もしくは下部に取付けられており、図７に示すように上部に取付けた場合は、回転するディスク５９とのクリアランスを確保するために、また、図８に示すように下部に取付けた場合は、筐体５１とのクリアランスを確保するために、ディスク装置全体が高くなるという問題があった。
【０００８】
また、図９に示す構成も考えられるが、サブシャシ５７の上面からメインダンパ６１の上部が突出しているため、光ディスク装置全体の高さが高くなってしまうという問題があった。
【０００９】
この発明は上記のような問題点を解消するためになされたもので、全体の高さを低くできる動吸振器およびそれを用いた光ディスク装置を提供することを目的とする。
【課題を解決するための手段】
【００１０】
この発明に係る、光ディスクを駆動するモータを支持するメインシャシに保持される動吸振器は、メインシャシに支持された弾性体と、一方面および他方面を有する平板形状を有し、メインシャシに対面する一方面のみが弾性体に当接する動吸振子と、この動吸振子を弾性体の一方面に固定する固定部材とを備える。
【００１１】
動吸振器は、メインシャシに支持された弾性体と、メインシャシに対面する一方面のみが弾性体に当接する動吸振子と、この動吸振子を弾性体の一方面に固定する固定部材とを備えるため、動吸振子は、メインシャシとの反対側に突部を有しない。
【００１２】
その結果、全体の高さを低くできる動吸振器が提供できる。
【００１３】
好ましくは、弾性体は、光ディスク装置の筐体を保持する。
【００１４】
固定部材は、動吸振子の一方面に固定された軸であってもよいし、動吸振子の一方向に一体形成された軸であってもよい。
【００１５】
好ましくは、軸は軸本体と、軸本体よりも径方向に広がった頭部を有し、頭部と、動吸振子の一方面とで弾性体を挟持する。
【００１６】
なお、軸は、途中位置に径方向に広がった突起部を有してもよい。
【００１７】
この発明の他の局面においては、光ディスク装置は、上記した動吸振器を搭載している。
【００１８】
その結果、全体の高さを低くできる光ディスク装置を提供できる。
【発明を実施するための最良の形態】
【００１９】
以下、この発明の実施の形態を図面を参照して説明する。図１はこの発明の一実施の形態にかかる動吸振器およびそれを用いた光ディスク装置を示す斜視図であり、図２は図１において矢印ＩＩ−ＩＩで示す部分の断面図であり、それぞれ、従来の光ディスクの図６および図７に対応する。なお、図２においては、スピンドルモータ等については図示を省略している。また、図３は、動吸振器がメインシャシ１３の下部に設けられている場合を示す図であり、従来の図８に対応する。
【００２０】
図１から図３を参照して、光ディスク装置１０は、筐体１１と、筐体１１の周囲４箇所に設けられたメインダンパ１２と、メインダンパ１２に保持されたメインシャシ１３とを含む。メインシャシ１３上には、光ディスクを回転するためのスピンドルモータ５４と、図中矢印方向に移動して光ディスクを読取るヘッド６０と、サブダンパ１６とが設けられ、サブダンパ１６には、サブシャシ１４が保持されている。ここで、メインダンパ１２およびサブダンパ１６は、弾性体で構成されている。
【００２１】
サブシャシ１４は動吸振子として作動し、サブダンパ１６とサブシャシ1４とで動吸振器を構成している。
【００２２】
すなわち、図２および図３に示すように、動吸振器は、メインシャシ１３に支持されたサブダンパ１６と、平板形状を有し、メインシャシ１３に対面する面のみがサブダンパ１６に当接するサブシャシ１４と、サブダンパ１６をサブシャシ１４のメインシャシ１３側に固定する固定部材１５とを備える。
【００２３】
次に、この実施の形態における動吸振器の構成およびそのメインシャシ１３への取付け方法について説明する。まず構成について説明する。ここでは、固定部材１５として軸状の凸部を例にあげて説明するが、これに限らず、接着剤や、ネジ等でもよい。
【００２４】
図２を参照して、動吸振器がメインシャシ１３の上部に設けられている場合には、動吸振子となるサブシャシ１４には、その一方面側に、固定部材となる凸部１５が設けられ、この凸部１５にサブダンパ１６が係合している。サブダンパ１６は円筒形状を有し、その中心部に貫通孔１７が設けられている。貫通孔１７は、径の小さい貫通孔１７ａと径の大きい貫通孔１７ｂとから構成されている。一方、サブシャシ１４の凸部１５は、円筒形状の軸部１５ａと先端に設けられ、軸部よりも径方向に広がった、抜け防止部として作動する頭部１５ｂとから構成されている。凸部１５の軸部１５ａはサブダンパ１７の径の小さい貫通孔１７ａと係合し、かつ、頭部１５ｂは貫通孔１７ａと１７ｂとで形成される段部１７ｃに係合するように寸法が設定されている。そのため、サブダンパ１６が頭部１５ｂと、サブシャシ１４の一方面である、下向き面との間で挟持され、動吸振器が形成される。
【００２５】
動吸振器をこのように構成したため、従来のように、サブダンパ１６の頂部がサブシャシ１４の上に突出することがない。したがって、スピンドルモータ５４を下方にずらして取付けることが可能になり、その結果、高さの低い動吸振器が提供できる。
【００２６】
次に、図３を参照して、動吸振器がメインシャシ１３の下部に設けられている場合について説明する。ここでは、図２と同じ構成要件については図２と同じ参照番号を付している。
【００２７】
動吸振子となるサブシャシ１４には、その上面側に、固定部材となる凸部１５が設けられ、この凸部１５にサブダンパ１６が係合している。サブダンパ１６は円筒形状を有し、その中心部に貫通孔１７が設けられている。貫通孔１７が、径の小さい貫通孔と径の大きい貫通孔とを有している点や、サブシャシ１４の凸部１５は、円筒形状の軸部と先端に設けられ、軸部よりも径方向に広がった頭部とから構成されている点も先の場合と同様である。サブダンパ１６が頭部１５ｂと、サブシャシ１４の一方面である、上向き面との間で挟持され、動吸振器が形成される。
【００２８】
以上のように、動吸振器がメインシャシ１３の下部に設けられている場合においても、従来のように、サブダンパ１６の頂部が筐体１１の上に突出することがない。したがって、先の場合と同様に、スピンドルモータ５４を下方にずらして取付けることが可能になり、その結果、高さの低い動吸振器が提供できる。
【００２９】
次に、動吸振器をメインシャシ１３に取付ける方法について説明する。ここでは、動吸振器がメインシャシ１３の上部に設けられている場合について説明するが、下部に取付けられる場合も同様である。
【００３０】
図１および図２を参照して、メインシャシ１３には、サブダンパ１６を取付ける箇所に、貫通孔１３ａが設けられる。貫通孔１３ａの孔の径は凸部１５の軸１５ａの径より大きく、また、サブダンパ１６の径よりも小さくなるように設定されている。また、図２に示すように、サブダンパ１６には軸方向ほぼ中央部の外周に環状の凹部１６ａが形成されており、サブダンパ１６はその凹部１６ａにメインシャシ１３が係合して保持され、その下端部はメインシャシ１３の下部に延在する。
【００３１】
このように、従来の図７の構成と比較して、サブダンパ１３の取付け位置を下方にずらせたため、これに伴いスピンドルモータ５４も下方にずらして取付けることが可能になり、光ディスク装置の高さをより低くでき、薄型の光ディスク装置が実現できる。
【００３２】
なお、上述のように、凸部１５は、サブシャシ１４とは別体で成形し、サブシャシ１４に接着剤を用いて接続してもよいし、凸部をネジとしてサブシャシに埋込むようにしてもよい。また凸部１５はサブシャシ１４と一体成形してもよい。
【００３３】
また、この実施の形態では、メインダンパが４個で、サブダンパが３この場合について説明したが、これに限らず、メインダンパとサブダンパとは、それぞれ同数としてもよいし、任意の個数設けてもよい。
【００３４】
次に、この発明の他の実施の形態について説明する。図４はこの発明の他の実施の形態を示す図であり、従来の図９に対応する。
【００３５】
この実施の形態においては、先の実施の形態と異なり、メインダンパ２２が筐体２１、メインシャシ２３およびサブシャシ２４を支持している。
【００３６】
メインダンパ２２は、先の実施の形態におけるサブダンパ１６と同様に、径の小さい貫通孔２２ａと、径の大きい貫通孔２２ｂとを有し、また、サブシャシ２４は先の実施の形態で説明したように、固定部材として、所定の形状を有する凸部２５を有している。メインダンパ２２の軸方向２箇所において外周部に環状の凹部２２ｃ、２２ｄが形成されており、凹部２２ｃを介してメインダンパ２２は筐体２１に支持され、凹部２２ｄを介してメインダンパ２２にメインシャシ２３が支持されている。
【００３７】
また、凸部２５の頭部は、径方向に傘状に広がっており、貫通孔２２ａと２２ｂとによって形成される段差部２２ｅに係合してメインダンパ２２の抜けを防止している。
【００３８】
このために、筐体２１には、メインダンパ２２を取付ける箇所に、貫通孔２１ａが設けられ、メインシャシ２３には、メインダンパ２２を取付ける箇所に、貫通孔２３ａが設けられる。また、貫通孔２１ａ、２３ａの孔の径はメインダンパ２２の径よりも小さくなるよう設定されている。
【００３９】
以上のように、この実施の形態によれば、メインダンパ２２のみで筐体２１、メインシャシ２３およびサブシャシ２４が保持されるとともに、サブシャシ２４の上に突出部が無くなるため、部品点数を削減できるとともに、より高さの低い光ディスク装置を提供できる。
【００４０】
次に、固定部材としての、凸部２５の変形例について説明する。図５は、凸部２５の軸２５ａの変形例を示す図であり、図４において、一点鎖線で示す部分を示す図である。図５を参照して、凸部２５の軸２５ａの途中位置には、径方向に広がった突起部２５ｃが設けられており、それによって、メインダンパ２２のさらなる抜けが防止できる。なお、この凸部２５の変形例は、凸部１５にも適用される。
【００４１】
なお、このように、軸の途中に突起部を設ければ、頭部２５ｂを設けなくてもよい。また、突起部２５ｃは環状でなくてもよく、外周の数カ所に形成してもよい。
【００４２】
なお、メインダンパ１２，２２およびサブダンパ１６を構成する弾性体としては、「熱硬化性弾性体（ゴム）」を用いてもよいし「熱可塑性弾性体（熱可塑性エラストマー）」を用いてもよい。具体的には、「熱硬化性弾性体（ゴム）」としては、天然ゴム、ブタジェンゴム、スチレンブタジェンゴム、アクリロニトリルブタジェンゴム、イソプレンゴム、クロロプレンゴム、ブチルゴム、ハロゲン化ブチルゴム、エチレンプロピレンゴム、クロロスルホン化ポリエチレン、塩素化ポリエチレン、アクリルゴム、フッ素ゴム、ウレタンゴム、シリコーンゴム等がある。
【００４３】
「熱可塑性弾性体（熱可塑性エラストマー）」としては、スチレン系熱可塑性エラストマーを始め、オレフィン系、ポリエステル系、ポリウレタン系、塩化ビニル系、ポリアミド系等の熱可塑性エラストマーが使用できる。
【００４４】
図面を参照してこの発明の一実施形態を説明したが、本発明は、図示した実施形態に限定されるものではない。本発明と同一の範囲内において、または均等の形態に限定されるものではない。本発明と同一の範囲内において、または均等の範囲内において、図示した実施形態に対して種々の変更を加えることが可能である。
【産業上の利用可能性】
【００４５】
この発明に係る動吸振器は、全体の高さを低くできるため、それを用いた光ディスク装置等において、有利に利用されうる。
【図面の簡単な説明】
【００４６】
【図１】この発明にかかる動吸振器の一例を用いた光ディスク装置の要部を示す斜視図である。
【図２】図１においてＩＩ−ＩＩで示す部分の断面図である。
【図３】動吸振器がメインシャシ１３の下部に設けられている場合の図２に対応する部分の断面図である。
【図４】この発明の他の実施の形態に係る動吸振器を含む部分の断面図である。
【図５】凸部の形状の他の実施の形態を示す図である。
【図６】従来の動吸振器の一例を用いた光ディスク装置の要部を示す斜視図である。
【図７】図６においてＶＩＩ−ＶＩＩで示す部分の断面図である。
【図８】動吸振器がメインシャシ１３の下部に設けられている場合の図７に対応する断面図である。
【図９】光ディスク装置の図７に対応する他の例を示す断面図である。
【符号の説明】
【００４７】
１０、２０  光ディスク装置、１１、２１  筐体、１２、２２  メインダンパ、１３、２３  メインシャシ、１４、２４  サブシャシ、１５  凸部、１６  サブダンパ。
【図１】
2006172631.tif 000003
【図２】
2006172631.tif 000004
【図３】
2006172631.tif 000005
【図４】
2006172631.tif 000006
【図５】
2006172631.tif 000007
【図６】
2006172631.tif 000008
【図７】
2006172631.tif 000009
【図８】
2006172631.tif 000010
【図９】
2006172631.tif 000011